(57)【要約】 【課題】自医療施設における医療データを地域医療連携サーバに登録する作業負担を減らす。【解決手段】医療施設１００に設置された登録端末１０は、選択登録画面において指定された検査（検査のデータ）に関する各種情報を、画像サーバ２０、レポート管理サーバ５０、電子カルテサーバ８０から収集（取得）する。そして、登録端末１０は、収集した各種情報（医用画像データの付帯情報、所見レポートデータ、利用者情報レコード）に基づいて、リンク情報を生成する。そして、登録端末１０は、生成したリンク情報を地域医療連携サーバ９０に送信する。そして、地域医療連携サーバ９０は、受信したリンク情報をレジストリに登録する。【選択図】図１
2011128661.tif 000002
【特許請求の範囲】
【請求項１】
各医療施設における医療データの所在を管理する地域医療連携サーバと、前記医療施設内に設置された登録端末とが通信ネットワークを介してデータ通信可能に接続された地域医療連携システムであって、
前記地域医療連携サーバは、
外部機器と各種データの送受信を行う通信手段と、
各医療施設における医療データの所在を管理するためのレジストリを記憶する記憶手段と、
前記通信手段が前記登録端末から医療データの所在と当該医療データに関する各種情報とを受信した場合、前記医療データの所在と当該医療データに関する各種情報とを、前記レジストリに登録する制御手段と、
を備え、
前記登録端末は、
外部機器と各種データの送受信を行う通信手段と、
前記レジストリへの登録対象となる自医療施設の医療データを指定する指定手段と、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して前記地域医療連携サーバに送信する制御手段と、
を備える地域医療連携システム。
【請求項２】
前記登録端末の制御手段は、
前記各装置から取得した前記指定された医療データに関する各種情報の整合性を判定し、整合性が無い場合、表示画面にその旨を表示する、
請求項１に記載の地域医療連携システム。
【請求項３】
医療施設内に設置された登録端末であって、
外部機器と各種データの送受信を行う通信手段と、
各医療施設における医療データの所在を管理するためのレジストリへの登録対象となる、自医療施設の医療データを指定する指定手段と、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して、前記レジストリを記憶する記憶手段を有する地域医療連携サーバに送信する制御手段と、
を備える登録端末。
【請求項４】
医療施設内に設置されたコンピュータを、
外部機器と各種データの送受信を行う通信手段、
各医療施設における医療データの所在を管理するためのレジストリへの登録対象となる、自医療施設の医療データを指定する指定手段、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して、前記レジストリを記憶する記憶手段を有する地域医療連携サーバに送信する制御手段、
として機能させるためのプログラム。
【発明の詳細な説明】
【技術分野】
【０００１】
本発明は、地域医療連携システム、登録端末及びプログラムに関する。
【背景技術】
【０００２】
近年、医療技術の発達に伴い、特定機能を持つ病院や診療所等の各医療施設が連携して患者を治療する、地域医療連携の枠組みが普及しつつある。
【０００３】
例えば、各医療施設において管理されている医療データを、医療施設のグループ全体（地域全体）で共有するため、医療データの所在、データ種類、対象患者等を管理するサーバ（地域医療連携サーバ）を設置し、当該サーバにアクセスすることにより、互いの医療データの供給、取得を可能としている。
【０００４】
具体的には、患者の紹介元の医療施設が地域医療連携サーバに患者情報を登録し、患者の紹介先の医療施設が地域医療連携サーバから患者情報を取得する技術が開示されている（特許文献１参照）。
【特許文献１】特開２００５−１２２３８０号公報
【発明の開示】
【発明が解決しようとする課題】
【０００５】
しかし、地域医療連携サーバに医療データを登録する際、医師等のユーザは、当該医療データに関する情報（患者情報、検査情報）等を逐一入力する必要があり、手間がかかってしまった。また、ユーザによる入力により、登録漏れや登録誤りが出てしまう可能性があった。
【０００６】
本発明は、上述したような課題に鑑みて為されたものであり、その目的とするところは、自医療施設における医療データを地域医療連携サーバに登録する作業負担を減らすことである。
【課題を解決するための手段】
【０００７】
上記の課題を解決するために、請求項１に記載の発明は、
各医療施設における医療データの所在を管理する地域医療連携サーバと、前記医療施設内に設置された登録端末とが通信ネットワークを介してデータ通信可能に接続された地域医療連携システムであって、
前記地域医療連携サーバは、
外部機器と各種データの送受信を行う通信手段と、
各医療施設における医療データの所在を管理するためのレジストリを記憶する記憶手段と、
前記通信手段が前記登録端末から医療データの所在と当該医療データに関する各種情報とを受信した場合、前記医療データの所在と当該医療データに関する各種情報とを、前記レジストリに登録する制御手段と、
を備え、
前記登録端末は、
外部機器と各種データの送受信を行う通信手段と、
前記レジストリへの登録対象となる自医療施設の医療データを指定する指定手段と、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して前記地域医療連携サーバに送信する制御手段と、
を備える。
【０００８】
請求項２に記載の発明は、請求項１に記載の発明において、
前記登録端末の制御手段は、
前記各装置から取得した前記指定された医療データに関する各種情報の整合性を判定し、整合性が無い場合、表示画面にその旨を表示する。
【０００９】
請求項３に記載の発明は、
医療施設内に設置された登録端末であって、
外部機器と各種データの送受信を行う通信手段と、
各医療施設における医療データの所在を管理するためのレジストリへの登録対象となる、自医療施設の医療データを指定する指定手段と、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して、前記レジストリを記憶する記憶手段を有する地域医療連携サーバに送信する制御手段と、
を備える。
【００１０】
請求項４に記載のプログラムは、
医療施設内に設置されたコンピュータを、
外部機器と各種データの送受信を行う通信手段、
各医療施設における医療データの所在を管理するためのレジストリへの登録対象となる、自医療施設の医療データを指定する指定手段、
医療データに関する情報を記憶する記憶手段を有し当該医療データに関する情報を管理する、自医療施設内に設置された各装置に、前記通信手段を介して前記指定手段により指定された医療データに関する情報の取得要求を送信し、前記各装置から前記指定された医療データに関する各種情報を取得し、前記指定された医療データの所在と共に、当該指定された医療データに関する各種情報を前記通信手段を介して、前記レジストリを記憶する記憶手段を有する地域医療連携サーバに送信する制御手段、
として機能させる。
【発明の効果】
【００１１】
請求項１、３、４に記載の発明によれば、ある医療施設に設置された登録端末の制御手段は、医療データに関する情報を記憶管理する自医療施設内に設置された各装置に、指定された医療データに関する情報の取得要求を送信し、前記各装置から前記指定された医療データに関する各種情報を取得し、前記指定された医療データの所在と共に、当該指定された医療データに関する各種情報を地域医療連携サーバに送信する。そのため、自医療施設における医療データを地域医療連携サーバに登録する作業負担を減らすことができる。
【００１２】
請求項２に記載の発明によれば、前記登録端末の制御手段は、前記各装置から取得した医療データに関する各種情報の整合性を判定し、整合性が無い場合、表示画面にその旨を表示する。そのため、ユーザは、地域医療連携サーバに登録する情報に整合性が無いことを知ることができる。
【発明を実施するための最良の形態】
【００１３】
以下、図面を参照して、本発明に係る地域医療連携システムの一実施形態について説明する。
【００１４】
[地域医療連携システムのシステム構成]
図１に、地域医療連携システム１のシステム構成を示す。図１に示すように、地域医療連携システム１は、ある地域の大学病院、がんセンター、診療所等の医療施設１００、２００、３００、４００と、各医療施設における医療データの所在を管理する地域医療連携サーバ９０とから構成されており、各医療施設と装置は、通信ネットワークＮを介して、データ通信可能に接続されている。
【００１５】
医療施設１００は、登録端末１０と、画像サーバ２０と、ＲＩＳ（Radiological Information System：放射線情報システム）３０と、臨床医用ＰＣ端末４０と、レポート管理サーバ５０と、画像ビューワ端末６０と、モダリティ７０と、電子カルテサーバ８０とから構成されており、各装置は施設内の通信ネットワークであるＬＡＮ（Local Area Network）を介して、データ通信可能に接続されている。また、ＬＡＮは、図示しないルータ等の通信機器を介して通信ネットワークＮと通信可能となっている。
【００１６】
ＲＩＳ３０は、医療施設１００の放射線科部門内における診療予約、診断結果のレポート、実績管理、材料在庫管理等の情報管理を行う。ＲＩＳ３０は、電子カルテサーバ８０から受信した撮影オーダ情報をモダリティ７０、画像サーバ２０及び登録端末１０に送信する。
【００１７】
モダリティ７０は、ＲＩＳ３０から受信した撮影オーダ情報に従って、患者を撮影し、医用画像の画像データを生成する撮影装置である。また、モダリティ７０は、前記撮影オーダ情報に基づいて、前記画像データに関する付帯情報を生成する。そして、モダリティ７０は、前記画像データ（以下、画像実データと称す。）に当該付帯情報を付帯させて、医用画像データを生成する。つまり、医用画像データは、画像実データと当該画像実データに関する付帯情報とから構成される。医用画像データは、例えば、ＤＩＣＯＭ規格に則ったデータである。
【００１８】
そして、モダリティ７０は、生成した医用画像データを画像サーバ２０に送信する。モダリティ７０としては、ＣＲ装置、ＣＴ装置、ＭＲＩ装置等、様々な種類の医用画像を撮影する撮影装置が適用可能である。
【００１９】
図２に、モダリティ７０が生成する医用画像データのデータ構成を示す。前述したように、医用画像データは、付帯情報と画像実データとから構成される。また、付帯情報は、患者情報、検査情報、シリーズ情報及び画像情報を含む。
【００２０】
患者情報は、患者ＩＤ、患者名、生年月日、性別等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００２１】
また、１人の患者に対して１又は複数の検査が紐付けられる（関連している）。そのため、患者情報と検査情報との間には、１対１、又は１対複数の関連がある。また、１検査に対して１又は複数のシリーズが紐付けられる（関連している）。そのため、検査情報とシリーズ情報との間には、１対１、又は１対複数の関連がある。また、１シリーズに対して１又は複数の医用画像が紐付けられる（関連している）。そのため、シリーズ情報と画像情報との間には、１対１、又は１対複数の関連がある。以下、医用画像１枚に対応する医用画像データを医用画像データオブジェクトと称す。
【００２２】
図１に戻り、画像サーバ２０は、モダリティ７０において生成された医用画像データ等を記憶し、管理する（記憶管理する）。画像サーバ２０は、外部機器から医用画像データ取得要求を受信した場合、当該取得要求に応じた医用画像データを当該外部機器に送信する。また、画像サーバ２０は、外部機器から付帯情報取得要求を受信した場合、当該取得要求に応じた、医用画像データに含まれる付帯情報を当該外部機器に送信する。
【００２３】
画像ビューワ端末６０は、医用画像を表示するモニタ（ビューワ）を有し、読影医が医用画像の所見レポートデータを作成することを主な目的として設置されるＰＣ（Personal Computer）等の端末である。画像ビューワ端末６０は、読影医によるユーザ操作に基づき、画像サーバ２０に医用画像データ取得要求を送信し、当該取得要求に応じた医用画像データを取得する。そして、当該医用画像データに基づきモニタに医用画像を表示する。そして、画像ビューワ端末６０は、読影医によるユーザ操作に基づき、所見レポートの実データ（以下、所見レポート実データ）を作成する。また、画像ビューワ端末６０は、画像サーバ２０から取得した医用画像データに含まれる付帯情報に基づいて、前記所見レポート実データに関する付帯情報を生成する。そして、画像ビューワ端末６０は、前記所見レポート実データに当該付帯情報を付帯させて、所見レポートデータを生成する。つまり、所見レポートデータは、レポート実データと当該レポート実データに関する付帯情報とから構成される。所見レポートデータは、例えば、ＨＬ７ ＬＤＡ（Laboratory Device Automation）規格に則ったデータである。
【００２４】
そして、画像ビューワ端末６０は、生成した所見レポートデータをレポート管理サーバ５０に送信する。
【００２５】
図３に、画像ビューワ端末６０が生成する所見レポートデータのデータ構成を示す。前述したように、所見レポートデータは、付帯情報とレポート実データとから構成される。また、付帯情報は、患者情報、検査情報等を含む。以下、１検査に対応する所見レポートデータを所見レポートデータオブジェクトと称す。つまり、所見レポートデータオブジェクトのレポート実データは、ある１検査の画像群に対する所見レポートの情報である。
【００２６】
図１に戻り、レポート管理サーバ５０は、画像ビューワ端末６０において生成された所見レポートデータを記憶し、管理する（記憶管理する）。レポート管理サーバ５０は、画像ビューワ端末６０から所見レポートデータを受信すると、当該所見レポートデータを保存する。
【００２７】
臨床医用ＰＣ端末４０は、診療医が診療録データを作成することを主な目的として設置されるＰＣ等の端末である。臨床医用ＰＣ端末４０は、臨床医によるユーザ操作に基づき、診療録データを作成する。そして、臨床医用ＰＣ端末４０は、生成した診療録データを電子カルテサーバ８０に送信する。また、臨床医用ＰＣ端末４０は、診療医によるユーザ操作に基づき、撮影オーダ情報を生成する旨の指示信号を電子カルテサーバ８０に送信する。
【００２８】
電子カルテサーバ８０は、臨床医用ＰＣ端末４０において作成された診療録データを記憶し、管理する（記憶管理する）。電子カルテサーバ８０は、臨床医用ＰＣ端末４０から診療録データを受信すると、当該診療録データを保存する。以下、１検査に対応する診療録データを診療録データオブジェクトと称す。
【００２９】
また、電子カルテサーバ８０は、利用者情報データベース８５１を記憶している。利用者情報データベース８５１については後述する。また、電子カルテサーバ８０は、臨床医用ＰＣ端末４０からの指示信号に基づき、撮影オーダ情報を生成し、当該生成した撮影オーダ情報をＲＩＳ３０に送信する。
【００３０】
登録端末１０は、医療施設１００における医療データの所在を地域医療連携サーバ９０に登録する端末である。ここで、医療データとは、医用画像データ、所見レポートデータ、診療録データ、身体測定データ等の情報を指す。
【００３１】
登録端末１０は、医療施設１００における医療データ（医療施設１００内に備えられている記憶媒体に保存されている医療データ）の所在を示すリンク情報を生成し、当該リンク情報を地域医療連携サーバ９０に送信する。また、登録端末１０は、ＲＩＳ３０から受信する撮影オーダ情報に基づき、医療施設１００において行われる検査の一覧を生成して表示する。
【００３２】
医療施設２００、３００、４００は、医療施設１００を構成している装置群の一部の装置又は全ての装置を備える。例えば、医療施設４００は、臨床医用ＰＣ端末４１０、電子カルテサーバ４２０、画像ビューワ端末４３０等によって構成され、各装置は医療施設４００内の通信ネットワークであるＬＡＮを介して、データ通信可能に接続されている。
【００３３】
[地域医療連携サーバの機能的構成]
図４に、地域医療連携サーバ９０の機能的構成を示す。図４に示すように、地域医療連携サーバ９０は、制御部９１、操作部９２、通信部９３、表示部９４、記憶部９５を備えて構成され、各部はバス９６により接続されている。
【００３４】
制御部９１は、ＣＰＵ（Central Processing Unit）、ＲＡＭ（Random Access Memory）等から構成され、地域医療連携サーバ９０の各部の処理動作を統括的に制御する。具体的には、ＣＰＵは、操作部９２から入力される操作信号又は通信部９３により受信される指示信号に応じて、記憶部９５に記憶されている各種処理プログラムを読み出し、ＲＡＭ内に形成されたワークエリアに展開し、当該プログラムとの協働により各種処理を行う。
【００３５】
操作部９２は、カーソルキー、数字入力キー、及び各種機能キー等を備えたキーボードと、マウス等のポインティングデバイスを備えて構成され、キーボードに対するキー操作やマウス操作により入力された操作信号を制御部９１に出力する。
【００３６】
通信部９３は、ＬＡＮアダプタ、ルータ、ＴＡ（Terminal Adapter）等を備え、通信ネットワークＮを介して接続された医療施設１００、２００、３００、４００等の外部システムや外部機器との間でデータの送受信を行う。
【００３７】
表示部９４は、ＬＣＤ（Liquid Crystal Display）により構成され、制御部９１から入力される表示データに基づいて各種画面を表示する。
【００３８】
記憶部９５は、ハードディスク等から構成され、制御プログラム、当該プログラムの実行に必要なパラメータやファイル等を記憶している。また、記憶部９５は、各医療施設における医療データの所在を示すデータベースであるレジストリ９５１を記憶する。
【００３９】
図５にレジストリ９５１のデータ構成を示す。図５に示すように、レジストリ９５１における１レコードは、「公開者情報」、「保存先情報」、「医療データ種類情報」、「患者情報」、「検査情報」、「医療データ特定情報」とから成る。ここで、１レコードは、１つの医療データのオブジェクト（医用画像データオブジェクト、所見レポートデータオブジェクト、診療録データオブジェクト等）の所在等を示す。以下、レジストリ９５１のレコードをリンク情報と称す。また、レジストリ９５１の１レコードに該当するリンク情報をリンク情報オブジェクトと称す。つまり、レジストリ９５１は、リンク情報オブジェクトの集合である。
【００４０】
「公開者情報」は、医療データのオブジェクトの所在をレジストリ９５１に登録したユーザの情報である。「公開者情報」は、項目「公開者の氏名」、「公開者の役割」、「公開者の連絡先」「公開者の専門」等を含む。「公開者の役割」とは、読影医や診断医等のような役割を示す項目である。「公開者の専門」とは、内科や外科等のような専門分野を示す項目である。
【００４１】
「保存先情報」は、医療データのオブジェクトを保存している記憶媒体を備える医療施設及び装置に関する情報である。「保存先情報」は、項目「医療施設名」、「医療施設ＩＤ」、「装置名」、「装置ＩＤ」等を含む。「医療施設ＩＤ」とは、医療施設毎に割り振られるユニークなＩＤである。「装置ＩＤ」とは、各医療施設内の装置毎に割り振られるユニークなＩＤである。
【００４２】
「医療データ種類情報」は、医療データの種類を示す情報である。「医療データ種類情報」は、項目「医療データ種類」等を含む。「医療データ種類」は、医用画像データ、所見レポートデータ、診療録データ等のような値をとる。
【００４３】
「患者情報」は、医療データの対象となっている患者に関する情報である。「患者情報」は、項目「患者ＩＤ」、「患者名」、「生年月日」、「性別」等を含む。
【００４４】
「検査情報」は、医療データのオブジェクトの生成を行った検査に関する情報である。「検査情報」は、項目「検査インスタンスＵＩＤ」、「検査日」、「検査時刻」、「受付番号」、「担当医師」等を含む。
【００４５】
「医療データ特定情報」は、医療データのオブジェクトを特定する情報である。「医療データ特定情報」は、項目「ユニークＩＤ」、「タイトル」等を含む。「ユニークＩＤ」とは、医療データオブジェクト毎のユニークなＩＤである。例えば、医療データの種類が医用画像データの場合、「ユニークＩＤ」は、ＳＯＰインスタンスＵＩＤの値となる。当該ユニークＩＤにより、医療データオブジェクトが特定される。
【００４６】
尚、レジストリ９５１のデータ構成は、上述の例に限定されず、適宜変更可能である。
【００４７】
図４に戻り、制御部９１は、登録端末１０からリンク情報を受信すると、当該リンク情報をレジストリ９５１に登録する。具体的に、制御部９１は、登録端末１０から１又は複数のリンク情報オブジェクトを受信すると、当該リンク情報オブジェクトをレジストリ９５１のレコードとして追加する。また、制御部９１は、受信したリンク情報オブジェクトの「医療データ特定情報」に含まれる「ユニークＩＤ」の値が、レジストリ９５１に既に登録されているリンク情報オブジェクトの「医療データ特定情報」に含まれる「ユニークＩＤ」の値と等しい場合は、受信したリンク情報オブジェクトを、既にレジストリ９５１に登録されているリンク情報オブジェクトのレコードに上書き（更新）する。
【００４８】
また、制御部９１は、通信部９３を介して、外部機器からリンク情報取得要求を受信すると、当該リンク情報取得要求に応じたリンク情報オブジェクトをレジストリ９５１から読み出す。そして、制御部９１は、当該読み出したリンク情報オブジェクトを当該リンク情報取得要求の送信元である外部機器に、通信部９３を介して送信する。
【００４９】
[画像サーバの機能的構成]
図６に、画像サーバ２０の機能的構成を示す。図６に示すように、画像サーバ２０は、制御部２１、操作部２２、通信部２３、表示部２４、記憶部２５を備えて構成され、各部はバス２６により接続されている。
【００５０】
制御部２１は、ＣＰＵ（Central Processing Unit）、ＲＡＭ（Random Access Memory）等から構成され、画像サーバ２０の各部の処理動作を統括的に制御する。具体的には、ＣＰＵは、操作部２２から入力される操作信号又は通信部２３により受信される指示信号に応じて、記憶部２５に記憶されている各種処理プログラムを読み出し、ＲＡＭ内に形成されたワークエリアに展開し、当該プログラムとの協働により各種処理を行う。
【００５１】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００５２】
通信部２３は、ＬＡＮ（Local Area Network）アダプタ、ルータ、ＴＡ（Terminal Adapter）等を備え、医療施設１００のＬＡＮを介して接続された登録端末１０、ＲＩＳ３０、画像ビューワ端末６０、モダリティ７０、更に通信ネットワークＮを介して接続された医療施設４００の画像ビューワ端末４３０等の外部機器との間でデータの送受信を行う。
【００５３】
表示部２４は、ＬＣＤ（Liquid Crystal Display）により構成され、制御部２１から入力される表示データに基づいて各種画面を表示する。
【００５４】
記憶部２５は、ハードディスク等から構成され、制御プログラム、当該プログラムの実行に必要なパラメータやファイル等を記憶している。また、記憶部２５は、モダリティ７０により生成された医用画像データ（１又は複数の医用画像データオブジェクト）を記憶する。
【００５５】
制御部２１は、通信部２３を介して、モダリティから医用画像データオブジェクト群を受信すると、当該医用画像データオブジェクト群を記憶部２５に保存する。
【００５６】
また、制御部２１は、通信部２３を介して、外部機器から医用画像データ取得要求を受信すると、当該医用画像データ取得要求に応じた医用画像データオブジェクトを記憶部２５から読み出す。そして、制御部２１は、当該読み出した医用画像データオブジェクトを当該医用画像データ取得要求の送信元である外部機器に、通信部２３を介して送信する。
【００５７】
また、制御部２１は、通信部２３を介して、外部機器から付帯情報取得要求を受信すると、当該付帯情報取得要求に応じた、医用画像データオブジェクトに含まれる付帯情報を記憶部２５から読み出す。そして、制御部２１は、当該読み出した付帯情報を当該付帯情報取得要求の送信元である外部機器に、通信部２３を介して送信する。
【００５８】
[レポート管理サーバの機能的構成]
図７に、レポート管理サーバ５０の機能的構成を示す。図７に示すように、レポート管理サーバ５０は、制御部５１、操作部５２、通信部５３、表示部５４、記憶部５５を備えて構成され、各部はバス５６により接続されている。
【００５９】
制御部５１は、ＣＰＵ（Central Processing Unit）、ＲＡＭ（Random Access Memory）等から構成され、レポート管理サーバ５０の各部の処理動作を統括的に制御する。具体的には、ＣＰＵは、操作部５２から入力される操作信号又は通信部５３により受信される指示信号に応じて、記憶部５５に記憶されている各種処理プログラムを読み出し、ＲＡＭ内に形成されたワークエリアに展開し、当該プログラムとの協働により各種処理を行う。
【００６０】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００６１】
通信部５３は、ＬＡＮ（Local Area Network）アダプタ、ルータ、ＴＡ（Terminal Adapter）等を備え、医療施設１００のＬＡＮを介して接続された登録端末１０、画像ビューワ端末６０、更に通信ネットワークＮを介して接続された医療施設４００の画像ビューワ端末４３０等の外部機器との間でデータの送受信を行う。
【００６２】
表示部５４は、ＬＣＤ（Liquid Crystal Display）により構成され、制御部５１から入力される表示データに基づいて各種画面を表示する。
【００６３】
記憶部５５は、ハードディスク等から構成され、制御プログラム、当該プログラムの実行に必要なパラメータやファイル等を記憶している。また、記憶部５５は、画像ビューワ端末６０により生成された所見レポートデータ（１又は複数の所見レポートデータオブジェクト）を記憶する。
【００６４】
制御部５１は、通信部５３を介して、画像ビューワ端末６０から所見レポートオブジェクトを受信すると、当該所見レポートオブジェクトを記憶部５５に保存する。
【００６５】
また、制御部５１は、通信部５３を介して、外部機器から所見レポートデータ取得要求を受信すると、当該所見レポートデータ取得要求に応じた所見レポートデータオブジェクトを記憶部５５から読み出す。そして、制御部５１は、当該読み出した所見レポートデータオブジェクトを当該所見レポートデータ取得要求の送信元である外部機器に、通信部５３を介して送信する。
【００６６】
[電子カルテサーバの機能的構成]
図８に、電子カルテサーバ８０の機能的構成を示す。図８に示すように、電子カルテサーバ８０は、制御部８１、操作部８２、通信部８３、表示部８４、記憶部８５を備えて構成され、各部はバス８６により接続されている。
【００６７】
制御部８１は、ＣＰＵ（Central Processing Unit）、ＲＡＭ（Random Access Memory）等から構成され、電子カルテサーバ８０の各部の処理動作を統括的に制御する。具体的には、ＣＰＵは、操作部８２から入力される操作信号又は通信部８３により受信される指示信号に応じて、記憶部８５に記憶されている各種処理プログラムを読み出し、ＲＡＭ内に形成されたワークエリアに展開し、当該プログラムとの協働により各種処理を行う。
【００６８】
操作部８２は、カーソルキー、数字入力キー、及び各種機能キー等を備えたキーボードと、マウス等のポインティングデバイスを備えて構成され、キーボードに対するキー操作やマウス操作により入力された操作信号を制御部８１に出力する。
【００６９】
通信部８３は、ＬＡＮ（Local Area Network）アダプタ、ルータ、ＴＡ（Terminal Adapter）等を備え、医療施設１００のＬＡＮを介して接続された登録端末１０、臨床医用ＰＣ端末４０等の外部機器との間でデータの送受信を行う。
【００７０】
表示部８４は、ＬＣＤ（Liquid Crystal Display）により構成され、制御部８１から入力される表示データに基づいて各種画面を表示する。
【００７１】
記憶部８５は、ハードディスク等から構成され、制御プログラム、当該プログラムの実行に必要なパラメータやファイル等を記憶している。また、記憶部８５は、臨床医用ＰＣ端末４０により作成された診療録データを記憶する。また、記憶部８５は、利用者情報データベース８５１を記憶する。
【００７２】
図９に、利用者情報データベース８５１のデータ構成を示す。図９に示すように、利用者情報データベース８５１における１レコードは、「個人情報」、「役割情報」、「連絡先情報」、「所属情報」とから成る。ここで、１レコードは、医療施設１００の各装置（例えば、電子カルテサーバ８０）の利用者１人に関する情報を示す。
【００７３】
「個人情報」は、項目「利用者の氏名」「利用者ＩＤ」等を含む。「役割情報」は、項目「利用者の役割」等を含む。「利用者の役割」とは、読影医や診断医等のような役割を示す項目である。「連絡先情報」は、項目「利用者の連絡先」等を含む。「所属情報」は、項目「利用者の専門」等を含む。「利用者の専門」とは、内科や外科等のような専門分野を示す項目である。
【００７４】
図８に戻り、制御部８１は、通信部８３を介して、外部機器から利用者情報取得要求を受信すると、当該利用者情報取得要求に応じたレコードを利用者情報データベース８５１から読み出す。そして、制御部５１は、当該読み出したレコード（以下、利用者情報レコードと称す）を当該利用者情報取得要求の送信元である外部機器に、通信部５３を介して送信する。
【００７５】
[登録端末の機能的構成]
図１０に、登録端末１０の機能的構成を示す。図１０に示すように、登録端末１０は、制御部１１、操作部１２、通信部１３、表示部１４、記憶部１５を備えて構成され、各部はバス１６により接続されている。
【００７６】
制御部１１は、ＣＰＵ（Central Processing Unit）、ＲＡＭ（Random Access Memory）等から構成され、登録端末１０の各部の処理動作を統括的に制御する。具体的には、ＣＰＵは、操作部１２から入力される操作信号又は通信部１３により受信される指示信号に応じて、記憶部１５に記憶されている各種処理プログラムを読み出し、ＲＡＭ内に形成されたワークエリアに展開し、当該プログラムとの協働により各種処理を行う。
【００７７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００７８】
通信部１３は、ＬＡＮ（Local Area Network）アダプタ、ルータ、ＴＡ（Terminal Adapter）等を備え、医療施設１００のＬＡＮや通信ネットワークＮを介して接続された画像サーバ２０、レポート管理サーバ５０、電子カルテサーバ８０、地域医療連携サーバ９０等の外部機器との間でデータの送受信を行う。
【００７９】
表示部１４は、ＬＣＤ（Liquid Crystal Display）により構成され、制御部１１から入力される表示データに基づいて各種画面を表示する。
【００８０】
記憶部１５は、ハードディスク等から構成され、制御プログラム、当該プログラムの実行に必要なパラメータやファイル等を記憶している。
【００８１】
制御部１１は、通信部１３を介して、利用者情報取得要求を電子カルテサーバ８０に送信する。そして、制御部１１は、通信部１３を介して、当該取得要求に応じた利用者情報レコードを電子カルテサーバ８０から取得する。
【００８２】
また、制御部１１は、通信部１３を介して、付帯情報取得要求を画像サーバ２０に送信する。そして、制御部１１は、通信部１３を介して、当該取得要求に応じた、医用画像データオブジェクトに含まれる付帯情報を画像サーバ２０から取得する。
【００８３】
また、制御部１１は、通信部１３を介して、所見レポートデータ取得要求をレポート管理サーバ５０に送信する。そして、制御部１１は、通信部１３を介して、当該取得要求に応じた所見レポートデータオブジェクトをレポート管理サーバ５０から取得する。
【００８４】
また、制御部１１は、これら各装置から取得した各情報に基づいて、リンク情報（１又は複数のリンク情報オブジェクト）を生成する。そして、制御部１１は、生成されたリンク情報（１又は複数のリンク情報オブジェクト）を通信部１３を介して地域医療連携サーバ９０に送信する。
【００８５】
[医療データの所在を登録する際に、地域医療連携システムにおいて実行される処理]
次に、医療データの所在を地域医療連携サーバ９０に登録する際に、地域医療連携システム１において実行される各装置の具体的な動作について図１１を用いて説明する。尚、本処理では、医療施設１００に勤務する読影医が、当該医療施設１００において行われた、ある検査において生成された医用画像データと所見レポートデータとの所在を地域医療連携サーバ９０に登録する場面を想定している。
【００８６】
まず、医療施設１００において、ある検査と診断が行われる。具体的に、モダリティ７０において、患者の撮影が行われ、当該撮影により医用画像データが生成される。そして、当該生成された医用画像データは、画像サーバ２０に保存される。また、画像ビューワ端末６０において、読影医による、当該医用画像データの読影が行われ、所見レポートデータが生成される。そして、当該生成された所見レポートデータは、レポート管理サーバ５０に保存される。
【００８７】
つまり、１検査において、医用画像データ、所見レポートデータの医療データが生成される。そして、当該医用画像データは画像サーバ２０に、当該所見レポートデータはレポート管理サーバ５０に保存されることになる。
【００８８】
登録端末１０において、読影医等は、ログイン等のユーザ操作を行う。そして、登録端末１０は、当該ユーザ操作に基づき、ログイン処理を行う（ステップＳ１）。登録端末１０は、ログイン処理を行うと、表示部１４に患者の一覧を表示する（図示せず）。そして、登録端末１０において、読影医は、登録する検査の対象となった患者を選択する。そして、登録端末１０は、当該ユーザ操作に基づき、選択された患者に関する検査を選択、登録するための画面（選択登録画面１４１（図１２参照））を表示部１４に表示する。尚、登録端末１０は、ＲＩＳ３０から送信される撮影オーダ情報や、電子カルテサーバ８０から取得する診療録データ等に基づいて、患者の一覧及び選択登録画面１４１を表示する。
【００８９】
図１２に選択登録画面１４１の画面例を示す。図１２（ａ）に示すように、選択登録画面１４１は、患者情報表示領域ｅ１、検査履歴表示領域ｅ２、登録ボタンｂ１等から構成される。患者情報表示領域ｅ１には、読影医等のユーザによって選択された患者の患者情報を表示する。また、検査履歴表示領域ｅ２には、患者情報表示領域ｅ１に表示されている患者に対して行われた検査の一覧を表示する。ユーザは、この検査の一覧から地域医療連携サーバ９０のレジストリ９５１に登録する検査を選択する。そして、ユーザは、登録ボタンｂ１を押下することにより、選択した検査の所在を地域医療連携サーバ９０のレジストリ９５１に登録することになる。
【００９０】
図１１に戻り、選択登録画面１４１において検査が選択され、登録ボタンｂ１が押下されると（ステップＳ２）、登録端末１０は、電子カルテサーバ８０に、利用者情報取得要求を送信する（ステップＳ３）。当該利用者情報取得要求は、登録端末１０にログインしているユーザ（利用者）の情報の取得要求である。利用者情報取得要求には、取得したいユーザ（利用者）の利用者ＩＤが含まれており、当該利用者ＩＤにより取得情報が特定される。
【００９１】
電子カルテサーバ８０は、登録端末１０から前記利用者情報取得要求を受信すると、当該利用者情報取得要求に含まれる利用者ＩＤと同じ値を持つ利用者情報レコードを、利用者情報データベース８５１から読み出す。そして、電子カルテサーバ８０は、当該利用者情報レコード（登録端末１０にログインしているユーザの情報）を登録端末１０に送信する（ステップＳ４）。
【００９２】
次に、登録端末１０は、画像サーバ２０に、付帯情報取得要求を送信する（ステップＳ５）。当該付帯情報取得要求は、ステップＳ２において選択した検査に対応する医用画像データオブジェクトの付帯情報の取得要求である。付帯情報取得要求には、「患者名」や「検査日」等が含まれており、これらの情報に基づき、取得情報が特定される。
【００９３】
画像サーバ２０は、登録端末１０から前記付帯情報取得要求を受信すると、当該付帯情報取得要求に含まれる「患者名」、「検査日」等と同じ値を持つ医用画像データオブジェクトを特定し、当該特定した医用画像データオブジェクトに含まれる付帯情報を記憶部２５から読み出す。そして、画像サーバ２０は、当該医用画像データオブジェクトの付帯情報を登録端末１０に送信する（ステップＳ６）。
【００９４】
次に、登録端末１０は、レポート管理サーバ５０に、所見レポートデータ取得要求を送信する（ステップＳ７）。当該所見レポートデータ取得要求は、ステップＳ２において選択した検査に対応する所見レポートデータオブジェクトの取得要求である。所見レポートデータ取得要求には、「患者名」や「検査日」等が含まれており、これらの情報に基づき、取得情報が特定される。
【００９５】
レポート管理サーバ５０は、登録端末１０から前記所見レポートデータ取得要求を受信すると、当該所見レポートデータ取得要求に含まれる「患者名」、「検査日」等と同じ値を持つ所見レポートデータオブジェクトを特定し、記憶部５５から読み出す。そして、レポート管理サーバ５０は、当該読み出した所見レポートデータオブジェクトを登録端末１０に送信する（ステップＳ８）。
【００９６】
次に、登録端末１０は、電子カルテサーバ８０から受信した利用者情報レコードと、画像サーバ２０から受信した医用画像データオブジェクトの付帯情報と、レポート管理サーバ５０から受信した所見レポートデータオブジェクトと、ＲＩＳ３０から送信される撮影オーダ情報と、電子カルテサーバ８０から取得する診療録データ等との間の整合性をチェックする（ステップＳ９）。例えば、選択登録画面１４１において選択された検査の対象となる患者の「患者名」と、画像サーバ２０から受信した医用画像データオブジェクトの付帯情報に含まれる患者情報の「患者名」とが一致するか整合性をチェックする。
【００９７】
ステップＳ９における整合性チェックの結果、データの整合性が無い場合、登録端末１０は、選択登録画面１４１に「患者不整合です」との文字列を表示させる（図１２（ｃ）参照）。そして、リンク情報を生成せず、処理を終了する（ステップＳ１０〜Ｓ１２の処理が行われない）。
【００９８】
ステップＳ９における整合性チェックの結果、データの整合性が有る場合、登録端末１０は、電子カルテサーバ８０から受信した利用者情報レコードと、画像サーバ２０から受信した医用画像データオブジェクトの付帯情報と、レポート管理サーバ５０から受信した所見レポートデータオブジェクトとに基づき、ステップＳ２において選択された検査の結果のリンク情報を生成する（ステップＳ１０）。
【００９９】
具体的に、登録端末１０は、画像サーバ２０から受信した医用画像データオブジェクトの付帯情報の個数分、医用画像データオブジェクトに関するリンク情報オブジェクトを生成する。また、登録端末１０は、レポート管理サーバ５０から受信した所見レポートデータオブジェクトの個数分、所見レポートデータオブジェクトに関するリンク情報オブジェクトを生成する。例えば、１検査で、医用画像が１０００枚、これらの医用画像に対する所見レポートが作成される場合、登録端末１０は、医用画像データオブジェクトに関するリンク情報オブジェクトを１０００個、所見レポートデータオブジェクトに関するリンク情報オブジェクトを１個生成することになる。
【０１００】
まず、登録端末１０が、医用画像データオブジェクトに関するリンク情報オブジェクトを生成する処理について説明する。登録端末１０は、画像サーバ２０から受信した医用画像データオブジェクトの付帯情報の個数回、この処理を実行する。
【０１０１】
登録端末１０は、電子カルテサーバ８０から受信した利用者情報レコードに基づいて、リンク情報オブジェクトの「公開者情報」を生成する。また、登録端末１０は、当該登録端末１０が管理している、医療施設１００の「医療施設名」、「医療施設ＩＤ」、医療施設１００内の各装置の「装置名」、「装置ＩＤ」等に基づいて、リンク情報オブジェクトの「保存先情報」を生成する。具体的に、「保存先情報」の各項目は、医療施設１００の画像サーバ２０に対応する値となる。また、登録端末１０は、項目「医療データ種類」の値を「医用画像データ」として、リンク情報オブジェクトの「医療データ種類情報」を生成する。また、登録端末１０は、画像サーバ２０から受信した医用画像データオブジェクトの付帯情報に基づいて、リンク情報オブジェクトの「患者情報」、「検査情報」、「医療データ特定情報」を生成する。
【０１０２】
次に、登録端末１０が、所見レポートデータオブジェクトに関するリンク情報オブジェクトを生成する処理について説明する。登録端末１０は、レポート管理サーバ５０から受信した所見レポートオブジェクトの個数回、この処理を実行する。
【０１０３】
登録端末１０は、電子カルテサーバ８０から受信した利用者情報レコードに基づいて、リンク情報オブジェクトの「公開者情報」を生成する。また、登録端末１０は、当該登録端末１０が管理している、医療施設１００の「医療施設名」、「医療施設ＩＤ」、医療施設１００内の各装置の「装置名」、「装置ＩＤ」等に基づいて、リンク情報オブジェクトの「保存先情報」を生成する。具体的に、「保存先情報」の各項目は、医療施設１００のレポート管理サーバ５０に対応する値となる。また、登録端末１０は、項目「医療データ種類」の値を「所見レポートデータ」として、リンク情報オブジェクトの「医療データ種類情報」を生成する。また、登録端末１０は、レポート管理サーバ５０から受信した所見レポートデータオブジェクトから付帯情報を読み出す。そして、当該登録端末１０は、当該付帯情報に基づいて、リンク情報オブジェクトの「患者情報」、「検査情報」、「医療データ特定情報」を生成する。以上が、ステップＳ１０におけるリンク情報を生成する処理の具体的な説明である。
【０１０４】
登録端末１０は、ステップＳ１０においてリンク情報が生成されると、当該生成したリンク情報（１又は複数のリンク情報オブジェクト）を地域医療連携サーバ９０に送信する（ステップＳ１１）。
【０１０５】
地域医療連携サーバ９０は、登録端末１０からリンク情報（１又は複数のリンク情報オブジェクト）を受信すると、当該リンク情報（１又は複数のリンク情報オブジェクト）をレジストリ９５１に登録する（ステップＳ１２）。
【０１０６】
そして、地域医療連携サーバ９０は、登録した旨の通知を登録端末１０に送信する。登録端末１０は、当該通知を受信すると、選択登録画面１４１に「登録完了しました」との文字列を表示させる（図１２（ｂ）参照）。以上で処理が終了する。
【０１０７】
[医療データを取得する際に、地域医療連携システムにおいて実行される処理]
次に、医療施設４００の画像ビューワ端末４３０が、他医療施設において管理されている医療データを取得する際に、地域医療連携システム１において実行される各装置の具体的な動作について図１３を用いて説明する。尚、本処理では、医療施設４００に勤務する医師が、医療施設１００において行われた、ある検査において生成された医用画像データと所見レポートデータとを参照する場面を想定している。
【０１０８】
まず、医療施設４００の画像ビューワ端末４３０において、医師等は、参照したい医療データの対象となっている患者の「患者ＩＤ」、「患者名」や、「検査日」等を入力するユーザ操作を行う。そして、画像ビューワ端末４３０は、当該ユーザ操作に基づき、リンク情報取得要求を地域医療連携サーバ９０に送信する（ステップＳ１０１）。ここで、リンク情報取得要求には、「患者ＩＤ」、「患者名」、「検査日」等が含まれており、これらの情報に基づき、取得情報が特定される。
【０１０９】
地域医療連携サーバ９０は、医療施設４００の画像ビューワ端末４３０からリンク情報取得要求を受信すると、当該リンク情報取得要求に含まれる「患者ＩＤ」、「患者名」、「検査日」等と同じ値を持つ患者情報、検査情報を含んだリンク情報オブジェクトをレジストリ９５１の中から特定して読み出す。そして、地域医療連携サーバ９０は、当該読み出したリンク情報オブジェクトを画像ビューワ端末４３０に送信する（ステップＳ１０２）。具体的に、「患者ＩＤ」、「患者名」、「検査日」に対応する検査が１検査であり、当該検査において、医用画像が１０００枚、これらの医用画像に対する所見レポートが１つ作成されている場合、地域医療連携サーバ９０は、医用画像１０００枚に対応する１０００個のリンク情報オブジェクトと、所見レポート１つに対応する１個のリンク情報オブジェクトとを、画像ビューワ端末４３０に送信する。
【０１１０】
次に、画像ビューワ端末４３０は、地域医療連携サーバ９０から受信した１又は複数のリンク情報オブジェクトに基づいて、医用画像データ取得要求を生成し、医療施設１００の画像サーバ２０に送信する（ステップＳ１０３）。
【０１１１】
具体的に、画像ビューワ端末４３０は、地域医療連携サーバ９０から受信した１又は複数のリンク情報オブジェクトに含まれる医療データ種類情報の項目「医療データ種類」の値を参照し、この値が「医用画像データ」であるリンク情報オブジェクトを抽出する。そして、画像ビューワ端末４３０は、抽出したリンク情報オブジェクトに含まれる「医療データ特定情報」に基づき、医用画像データ取得要求を生成する。この場合、医用画像データ取得要求は、抽出したリンク情報オブジェクトの数だけ生成されることになる。そして、画像ビューワ端末４３０は、抽出したリンク情報オブジェクトに含まれる保存先情報の値を参照し、「医療施設ＩＤ」、「装置ＩＤ」の値に基づき、医用画像データ取得要求の送信先を決定する。そして、画像ビューワ端末４３０は、生成した医用画像データ取得要求を画像サーバ２０に送信する。
【０１１２】
画像サーバ２０は、画像ビューワ端末４３０から医用画像データ取得要求を受信すると、該当する医用画像データオブジェクトを画像ビューワ端末４３０に送信する（ステップＳ１０４）。
【０１１３】
次に、画像ビューワ端末４３０は、地域医療連携サーバ９０から受信した１又は複数のリンク情報オブジェクトに基づいて、医用画像データ取得要求を生成し、医療施設１００のレポート管理サーバ５０に送信する（ステップＳ１０５）。
【０１１４】
具体的に、画像ビューワ端末４３０は、地域医療連携サーバ９０から受信した１又は複数のリンク情報オブジェクトに含まれる医療データ種類情報の項目「医療データ種類」の値を参照し、この値が「所見レポートデータ」であるリンク情報オブジェクトを抽出する。そして、画像ビューワ端末４３０は、抽出したリンク情報オブジェクトに含まれる「患者情報」、「検査情報」、「医療データ特定情報」に基づき、所見レポートデータ取得要求を生成する。この場合、所見レポートデータ取得要求は、抽出したリンク情報オブジェクトの数だけ生成されることになる。そして、画像ビューワ端末４３０は、抽出したリンク情報オブジェクトに含まれる保存先情報の値を参照し、「医療施設ＩＤ」、「装置ＩＤ」の値に基づき、所見レポートデータ取得要求の送信先を決定する。そして、画像ビューワ端末４３０は、生成した所見レポートデータ取得要求をレポート管理サーバ５０に送信する。
【０１１５】
レポート管理サーバ５０は、画像ビューワ端末４３０から所見レポートデータ取得要求を受信すると、該当する所見レポートデータオブジェクトを画像ビューワ端末４３０に送信する（ステップＳ１０６）。
【０１１６】
そして、画像ビューワ端末４３０は、画像サーバ２０から受信した医用画像データオブジェクト群と、レポート管理サーバ５０から受信した所見レポートデータオブジェクトとに基づき、画面に検査結果（医用画像、所見レポート等）を表示する（ステップＳ１０７）。
【０１１７】
以上、本実施の形態によれば、医療施設１００に設置された登録端末１０は、選択登録画面１４１において指定された検査（検査のデータ）に関する各種情報を、画像サーバ２０、レポート管理サーバ５０、電子カルテサーバ８０から収集（取得）する。そして、登録端末１０は、収集した各種情報（医用画像データの付帯情報、所見レポートデータ、利用者情報レコード）に基づいて、リンク情報を生成する。そして、登録端末１０は、生成したリンク情報を地域医療連携サーバ９０に送信する。そして、地域医療連携サーバ９０は、受信したリンク情報をレジストリ９５１に登録する。
【０１１８】
そのため、ユーザは、登録端末１０上で、レジストリ９５１に登録する医療データに関する情報（患者情報、検査情報）等を逐一入力する必要が無くなり、自医療施設における医療データを地域医療連携サーバ９０（のレジストリ９５１）に登録する作業負担を減らすことができる。更に、地域医療連携サーバ９０に送信する前記医療データに関する情報が自動で生成されるので、ユーザ入力による、登録漏れや登録誤りを防ぐことができる。
【０１１９】
また、登録端末１０は、選択登録画面１４１において指定された検査（検査のデータ）に関する各種情報を、画像サーバ２０、レポート管理サーバ５０、電子カルテサーバ８０から収集（取得）と、これらの各種情報の整合性をチェック（判定）し、整合性が無い場合は、選択登録画面１４１にその旨の文字列を表示させる（図１２（ｃ）参照）。
【０１２０】
そのため、ユーザは、地域医療連携サーバ９０に登録するリンク情報に整合性が無いことを、登録前に知ることができる。
【０１２１】
尚、本実施の形態における記述は、本発明に係る医用画像システムの一例であり、これに限定されるものではない。システムを構成する各装置の細部構成及び細部動作に関しても適宜変更可能である。
【０１２２】
例えば、登録端末１０の機能を電子カルテサーバ８０に持たせる構成としてもよい。
【０１２３】
また、本実施の形態では、プログラムを格納したコンピュータ読み取り可能な媒体としてハードディスクを使用した例を開示したが、この例に限定されない。その他のコンピュータ読み取り可能な媒体として、フラッシュメモリ等の不揮発性メモリ、ＣＤ−ＲＯＭ等の可搬型記憶媒体を適用することが可能である。また、プログラムのデータを通信回線を介して提供する媒体として、キャリアウェーブ（搬送波）も適用可能である。
【図面の簡単な説明】
【０１２４】
【図１】本発明の一実施形態における地域医療連携システムのシステム構成図である。
【図２】医用画像データのデータ構成図である。
【図３】所見レポートデータのデータ構成図である。
【図４】地域医療連携サーバのブロック図である。
【図５】レジストリのデータ構成図である。
【図６】画像サーバのブロック図である。
【図７】レポート管理サーバのブロック図である。
【図８】電子カルテサーバのブロック図である。
【図９】利用者情報データベースのデータ構成図である。
【図１０】登録端末のブロック図である。
【図１１】医療データの所在を登録する際に、地域医療連携システムにおいて実行される処理を示すラダーチャートである。
【図１２】選択登録画面の画面例である。
【図１３】医療データを取得する際に、地域医療連携システムにおいて実行される処理を示すラダーチャートである。
【符号の説明】
【０１２５】
１        地域医療連携システム
１０      登録端末
１１      制御部
１２      操作部
１３      通信部
１４      表示部
１５      記憶部
１６      バス
２０      画像サーバ
２１      制御部
２２      操作部
２３      通信部
２４      表示部
２５      記憶部
２６      バス
３０      ＲＩＳ
４０      臨床医用ＰＣ端末
５０      レポート管理サーバ
５１      制御部
５２      操作部
５３      通信部
５４      表示部
５５      記憶部
５６      バス
６０      画像ビューワ端末
７０      モダリティ
８０      電子カルテサーバ
８１      制御部
８２      操作部
８３      通信部
８４      表示部
８５      記憶部
８６      バス
９０      地域医療連携サーバ
９１      制御部
９２      操作部
９３      通信部
９４      表示部
９５      記憶部
９６      バス
１００    医療施設
１４１    選択登録画面
２００    医療施設
３００    医療施設
４００    医療施設
４１０    臨床医用ＰＣ端末
４２０    電子カルテサーバ
４３０    画像ビューワ端末
８５１    利用者情報データベース
９５１    レジストリ
ｂ１      登録ボタン
ｅ１      患者情報表示領域
ｅ２      検査履歴表示領域
Ｎ        通信ネットワーク
【図１】
2011128661.tif 000003
【図２】
2011128661.tif 000004
【図３】
2011128661.tif 000005
【図４】
2011128661.tif 000006
【図５】
2011128661.tif 000007
【図６】
2011128661.tif 000008
【図７】
2011128661.tif 000009
【図８】
2011128661.tif 000010
【図９】
2011128661.tif 000011
【図１０】
2011128661.tif 000012
【図１１】
2011128661.tif 000013
【図１２】
2011128661.tif 000014
【図１３】
2011128661.tif 000015